(57)【要約】【課題】シリンダーが軸方向以外の外力を受けることができ、踏み板が回転することが可能になり、使用者は退屈を感じなく運動の目標を達成でき、シリンダーが損壊し難くなる回転式足踏み機を提供する。【解決手段】回転式足踏み機は、台座と、前記台座に固定されたＶ字形の支持枠と、踏み板とから構成される回転式足踏み機において、前記踏み板は、その下面に一つの固定板が連接してあり、前記固定板の前側のスリーブにより支持枠に固定され、且つ前記固定板の下方には一つのシリンダーが設けてあり、前記シリンダーの一端が枢接素子により前記台座に枢接し固定され、なお、前記シリンダーの他端が枢接素子により前記固定板の後ろ端に枢接される。【選択図】図１
0003108410.tif 000002
【実用新案登録請求の範囲】
【請求項１】
台座と、前記台座に固定されたＶ字形の支持枠と、踏み板とから構成される回転式足踏み機において、
前記踏み板は、その下面に一つの固定板が連接してあり、前記固定板の前側のスリーブにより支持枠に固定され、且つ前記固定板の下方には一つのシリンダーが設けてあり、前記シリンダーの一端が枢接素子により前記台座に枢接し固定され、なお、前記シリンダーの他端が枢接素子により前記固定板の後ろ端に枢接されることを特徴とする、回転式足踏み機。
【請求項２】
前記固定板の後ろ端に枢接される枢接素子は、Ｕ型を呈し、頂端に一つの貫通孔が開けてあり、一つの枢接片により前記踏み板の下にある前記固定板に枢接されることを特徴とする、請求項１に記載の回転式足踏み機。
【請求項３】
前記固定板の後ろ端に枢接される枢接素子は、Ｕ型を呈し、両側に枢接孔が開けてあり、一つのネジが、一端の枢接孔と、前記シリンダーにあるネジ孔と、他端の枢接孔とを順序に挿通して、ナットにより締結することを特徴とする、請求項１に記載の回転式足踏み機。
【考案の詳細な説明】
【技術分野】
【０００１】
本考案は回転式足踏み機に係り、特に台座のV字形支持枠をシリンダーに枢接する方式により、シリンダーが損壊し難くなる回転式足踏み機に関するものである。
【背景技術】
【０００２】
従来の足踏み機は、シリンダーが軸方向以外の外力を受けることができないので、踏み板が上下に移動することだけが可能であり、使用者は退屈を感じ易くて運動状況により器材を調整することができないので、運動の目標を達成できなかった。
【考案の開示】
【考案が解決しようとする課題】
【０００３】
本考案の主な目的は、シリンダーが軸方向以外の外力を受けることができ、踏み板が回転することが可能になり、使用者は退屈を感じなく運動の目標を達成でき、シリンダーが損壊し難くなる回転式足踏み機を提供する。
【課題を解決するための手段】
【０００４】
上記目的を達成するためになされた本願の考案は、台座と、前記台座に固定されたＶ字形の支持枠と、踏み板とから構成される回転式足踏み機において、前記踏み板は、その下面に一つの固定板が連接してあり、前記固定板の前側のスリーブにより支持枠に固定され、且つ前記固定板の下方には一つのシリンダーが設けてあり、前記シリンダーの一端が枢接素子により前記台座に枢接し固定され、なお、前記シリンダーの他端が枢接素子により前記固定板の後ろ端に枢接されることを特徴とする回転式足踏み機であることを要旨としている。
【０００５】
本願の考案では、前記固定板の後ろ端に枢接される枢接素子は、Ｕ型を呈し、頂端に一つの貫通孔が開けてあり、一つの枢接片により前記踏み板の下にある前記固定板に枢接されることを特徴とする請求項1に記載の回転式足踏み機であることを要旨としている。
【０００６】
本願の考案では、前記固定板の後ろ端に枢接される枢接素子は、Ｕ型を呈し、両側に枢接孔が開けてあり、一つのネジが、一端の枢接孔と、前記シリンダーにあるネジ孔と、他端の枢接孔とを順序に挿通して、ナットにより締結することを特徴とする請求項１に記載の回転式足踏み機であることを要旨としている。
【考案の効果】
【０００７】
本考案に係る回転式足踏み機によれば、次のような効果がある。
(イ)踏み板が外力を受けて横へ移動することにより、使用者は足踏みと腰ねじり回しとの効果が同時に達成できる。
【０００８】
(ロ)枢接素子によりシリンダーが踏み板の移動によって回転になるので、シリンダーが軸方向以外の外力により損壊されることを有効に防止することができる。
【０００９】
(ハ)遊び車により使用者が踏み板の上下に揺れる幅を調整できるので、使用効果が向上する。
【考案を実施するための最良の形態】
【００１０】
以下、添付図面を参照して本考案の好適な実施の形態を詳細に説明する。
【００１１】
まず、図１と図２を参照する。本考案に係る回転式足踏み機は、二つの平行する水平枠１１と一つのメン枠１２とから構成されるエ字形台座１０と、一端の水平枠１１のメン枠１２と連接する箇所で形成され鉛直な固定枠１３と、固定板３１に支持される踏み板３０とを含み、前記固定板３１の前側には一つのスリーブ３２が設けてあり、且つ前記固定枠１３の両側にハ字形な翼片１５に形成されたＶ字形の支持枠１４に前記スリーブ３２が嵌めて固定され、なお、前記固定枠１３の適当な箇所では一つの遊び車１６が枢接し固定してあり、前記遊び車１６の外周には一つの溝が設けてあり、ロープ１７が前記溝を巻いて前記翼片１５の延長部に枢接し固定され、また、前記固定板３１の下方にはシリンダー２０が設けてあり、前記シリンダー２０の一端は枢接素子２２により台座１０に枢接し固定してあり、前記枢接素子２２は、Ｕ字形を呈し、両側には枢接孔２２０が設けてあり、一つのネジ２２１が、一端の枢接孔２２０と、前記シリンダー２０の第一端２０１にあるネジ孔２２２と、他端の枢接孔２２０とを順序に挿通して、ナット２２３により締結し、なお、前記シリンダー２０の第二端２０３は枢接素子２１により固定板３１の後ろ端に枢接してあり、前記枢接素子２１は、Ｕ型を呈し、頂端に一つの貫通孔２１４が開けてあり、一つの枢接片２３により前記踏み板３０の下にある前記固定板３１に枢接され、前記枢接素子２１の両側には枢接孔２１０が設けてあり、一つのネジ２１１が、シリンダー２０の第二端２０３にある枢接孔２１０と、ネジ穴２１２と、他端の枢接孔２１０とを順序に挿通して、ナット２１３により締結する。
【００１２】
本考案の使用状態は、図３と図４に示すように、踏み板３０が外力を受けるときに、前記踏み板３０の一端がＶ字形支持枠１４と連接してあり、他端がシリンダー２０に枢接してあるので、前記踏み板３０は多方向に揺れることができ、これにより、使用者は足踏みと腰ねじり回しとの効果が同時に達成でき、且つ前記踏み板３０が多方向に揺れる際に形成されシリンダー２０に対する軸方向以外の外力は、前記シリンダー２０の両端にある枢接素子により移転することができ、前記シリンダー２０が軸方向以外の外力により損壊されることを有効に防止することができ、なお、固定枠１３の適当な箇所では遊び車１６が設けてあることにより、使用者が運動状況を見て前記踏み板３０の上下に揺れる幅を調整できるので、使用効果を向上することができる。
【図面の簡単な説明】
【００１３】
【図１】本考案の組合状態の斜視図である。
【図２】本考案の分解斜視図である。
【図３】本考案の使用状態を示す斜視図である。
【図４】本考案の組合状態の側面図である。
【符号の説明】
【００１４】
10  台座                  11  水平枠
12  メン枠                13  固定枠
14  支持枠                15  翼片
16  遊び車                17  ロープ
20  シリンダー            201  第一端
203  第二端               21  枢接素子
22  枢接素子             
210  枢接孔
211,221  ネジ
212,222  ネジ穴
213,223  ナット
214  貫通孔              
23  枢接片
30  踏み板               
31  固定板
32  スリーブ             
33  ネジ軸
【図１】
0003108410.tif 000003
【図２】
0003108410.tif 000004
【図３】
0003108410.tif 000005
【図４】
0003108410.tif 000006